(57)【要約】      （修正有）【課題】折れ雨戸内に装着した可動ガラリを開放した際、該可動ガラリが建物の外部に飛出すことなく外部から強風が該折れ雨戸に吹付けた際にも該可動ガラリの特異な形状、構造により風切音の低減化を図る技術を提供する。【解決手段】可動ガラリ３０が開放した際、つまり、水平方向に回動したとき、該可動ガラリ３０の先端部３０ａが当該雨戸２４の前面から室外側へ飛出すことがないように設定されており、各雨戸２４Ａ、２４Ｂ及び２４Ｃ、２４Ｄを右側及び左側に折畳み窓部材３１ａ、３１ｂを重なるように可動した際、このとき、左右の空間部位Ｆ、Ｇに各網戸２５Ａ及び２５Ｂを左側及び右側に可動し、位置決定をすることにより当該左右の空間部位Ｆ及びＧは外部から上記網戸２５Ａ、２５Ｂにより閉塞され外気は流過するが、蚊や蝿等の虫類は該網戸２５Ａ、２５Ｂの網目により侵入を阻止する。【選択図】図４
2005126962.tif 000002
【特許請求の範囲】
【請求項１】
雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、該上框と中間框の間及び該中間框と下框の間に断面形状がＳ字形状、Ｍ字形状又は波形形状であって開閉自在の可動ガラリを該雨戸の水平方向（横）に多段式に列設したことを特徴とする網戸付き折れ雨戸。
【請求項２】
雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、かつ上記上框及び下框が既存又は新設の窓部材の上方枠及び下方枠に着脱自在に固定する雨戸の上部枠体及び下部枠体に連結し、該上框と中間框の間及び該中間框と下框の間に断面形状がＳ字形状、Ｍ字形状又は波形形状であって開閉自在の可動ガラリを該雨戸の水平方向（横）に多段式に列設したことを特徴とする網戸付き折れ雨戸。
【請求項３】
雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、該上框と中間框の間及び該中間框と下框の間に断面形状がＳ字形状、Ｍ字形状又は波形形状であって開閉自在の可動ガラリを該雨戸の水平方向（横）に多段式に列設し、上記網戸の周囲に上記雨戸の上部枠体及び下部枠体と一体形成され、かつ、該雨戸と窓部材との隙間であって該網戸固定枠に備えた隙間塞部材と有したことを特徴とする網戸付き折れ雨戸。
【請求項４】
雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、かつ上記上框及び下框が既存又は新設の窓部材の上方枠及び下方枠に着脱自在に固定する雨戸の上部枠体及び下部枠体に連結し、該上框と中間框の間及び該中間框と下框の間に断面形状がＳ字形状、Ｍ字形状又は波形形状であって開閉自在の可動ガラリを該雨戸の水平方向（横）に多段式に列設し、上記網戸の周囲に上記雨戸の上部枠体及び下部枠体と一体形成され、かつ、該雨戸と窓部材との隙間であって該網戸固定枠に備えた隙間塞部材と有したことを特徴とする網戸付き折れ雨戸。
【発明の詳細な説明】
【技術分野】
【０００１】
本発明は、既存の建物開口部であるサッシ又は窓に着脱自在に設置可能であると共に、当該折れ雨戸内に装着した可動ガラリを外部から採光若しくは送風可能な状態に変位させた際、該可動ガラリが建物の外部に飛出すことなくまた、外部から強風が該折れ雨戸に吹付けた際にも該可動ガラリの特異な構造により風切音の低減化を図るべくした網戸付き折れ雨戸に関するものである。
【背景技術】
【０００２】
従来、この種の雨戸の構造に於ける一例としては、特開２００１−２６２９５４公開特許公報に開示した技術がある。これについて図８に基づき説明すれば、ルーバ１は、縦方向に並設した多数の羽根板２をルーバ枠３の縦枠３ａ、３ａに支軸４によって回動自在に軸支し、該支軸４に突設した腕部片５に連けいピン６を前記支軸４の軸線に沿わせて突設し、この連けいピン６を連動杆７に形成した透孔７ａに遊嵌し、連動杆７を縦動させることによって前記腕部片５を回動させ、該回動に伴って各羽根板２を支軸４を中心に回動させ、羽根板２の開閉を行うようにしたものである。
そして、各羽根板２のほぼ中央に位置する羽根板２の連けいピン６を前記縦枠３ａ、３ａの内に挿入した移動片８の部片８ａに設けた横長長孔９に係合し、移動片８を縦動させることによって部片８ａに係合した連けいピン６を介して連動杆７を強制的に縦動させ、羽根板２の前記開閉が行われる。
【０００３】
前記移動片８は、本体材１０の裏面側に前記部片８ａを、側面側に摘み部片１１をそれぞれ突設し、前記本体材１０の前記摘み部片１１側の一側を、該一側に対応する他の一側側より板厚を厚くして該厚肉部に本体材１０の移動方向に沿わせて受止部１２を設けて構成し、前記縦枠３ａに螺子（図示せず）で止着した装置基枠１３の裏（後）面側開口の凹入部１４に係合するようにして、かつ、装置基枠１３の一側に上下方向にして並設した一対の支持部片１５、１５と前記縦枠３ａの間に前記肉厚部に対応する薄肉部が介在するようにして、本体材１０を前記装置基枠１３に収設し、前記部片８ａを縦枠３ａに設けた縦長長孔１６を通じて前記縦枠３ａの内に挿入し、また、摘み部片１１を前記装置基枠１３の側板に設けた縦長の切欠１３ａを通じて外部に突出させ、装置基枠１３と縦枠３ａに組付けたものである。
この本体材１０には連けいピン６を介して連動杆７と連けいしてあるので、連動杆７は本体材１０の移動に伴って移動し、連動杆７に腕部片５および支軸４を介して羽根板２を組付けてあるので、羽根板２を支軸４を中心にして回動し、連動杆７の移動方向に従って、開放方向へ、或いは、閉塞方向へと変位し、ルーバ１を開閉する。
【０００４】
また、従来の技術に於ける雨戸の構造の他の例としては特開２００３−１５５８８１公開特許公報に開示した技術がある。これについて図９に基づき説明すれば、当該雨戸は、建物の開口Ａに略沿うように固定された固定枠１７と、この固定枠１７に配置された複数の雨戸１８、１８…からなっていて、それぞれの雨戸１８、１８…がそれぞれ室外側に折畳まれるようになっている。
前記固定枠１７は、各雨戸１８、１８…と開口Ａ間の間隔を保たせてつつ該雨戸１８を取付けるもので、サッシ枠等と雨戸の位置調整に使用する。前記固定枠１７には、室外側横枠１７ａにレール部１７ｂが設けられており、図９に示すように上下レール部１７ｂ、１７ｂの各両端には、それぞれターンテーブルが設けられている。前記レール部１７ｂ及び前記ターンテーブルは、雨戸１８、１８…が折り畳まれたり、折り広げられる場合に、それぞれの雨戸１８、１８…に取付けられたガイド突起兼用ストッパのロッドが走行する部分である。前記固定枠１７は、上記のように構成され、前記開口Ａの周囲を沿って止着具を介して躯体側に固定されている。
【０００５】
前記雨戸１８は、上下框１９、２０、竪框及び中框２１から雨戸框を形成し、上框１９と中框２１間、下框２０と中框２１間に、それぞれ複数のスラット２２ａ、２２ｂを水平方向に配列している。
前記中框２１は、図９に示したように上下２列に形成され、上下中框２１ａ、２１ｂには、それぞれ前記スラット２２ａ、２２ｂを揺動される第１、第２揺動機構を操作する操作スライダー２３を臨ませている。前記中框２１を上下中框２１ａ、２１ｂに２列にすることなく、一体型としてもよい。
【特許文献１】特開２００１−２６２９５４公開特許公報    特開２００３−１５５８８１公開特許公報
【発明の開示】
【発明が解決しようとする課題】
【０００６】
従来の技術は、背景技術で述べたような構成及び作用であるので次の課題が存在した。
すなわち、上記一例としての特開２００１−２６２９５４公開特許公報に開示した技術によれば、網戸や窓ガラス又はサッシの存在しないルーバの羽根板開閉装置であって、特に、羽根板２の開閉構造を示す技術である。
而して、当該従来の技術の一例では、該羽根板２を開放した際、該羽根板２の相互間で形成された隙間から外気が建物内に流入すると共に、特に、蝿又は蚊等の虫類も這り込むので弊害があり、これを防止するためには室内側に網戸を別置する必要があった。そのため網戸を設置するための工数や設置費用が大幅に増大するうえに既存の建築物に後付け不可能な場合もあり、この一例は実用的でなかった。また、上記羽根板２の形状が当該公開特許公報の図４に開示したように略平板状に構成され、室外から該羽根板２に強風を伴う場合、これの風切音が高く居住性が悪いという問題点があった。
【０００７】
また、従来の技術に於ける他の例としての特開２００３−１５５８８１公開特許公報に開示した技術によれば、建物の開口に設けられる建具としての折れ雨戸であって、特に、雨戸１８の雨戸框１９、２０に配列された複数のスラット２２ａ、２２ｂを揺動させる揺動機構を備えた折れ雨戸１８において、該揺動機構は、スライド力を回転力に変換させるねじりバーと、該ねじりバーの一端側に取付けられ、かつ、その回転力が伝達される第１の伝達部材と、該第１の伝達部材に取付けられ、かつその回転力が伝達されるバー部材と、複数のスラット２２ａ、２２ｂに対応するように、バー部材に所定間隔を置いて取付けられ、その回転力が伝達される第２の伝達部材とからなることを特徴としている。
而して、当該従来の技術の他の例では、網戸や窓ガラス又はサッシの存在しない複数のスラットの開閉装置であって、特に、複数のスラット２２ａ、２２ｂの開閉構造を示す技術である。
そして、当該従来の技術に於ける他の例では、該複数のスラット２２ａ、２２ｂを開放した際、該複数のスラット２２ａ、２２ｂの相互間で形成された隙間から外気が建物内に流入すると共に、特に、蝿又は蚊等の虫類も這り込むので弊害があり、これを防止するためには室内側に網戸を別置する必要があった。そのため網戸を設置するための工数や設置費用が大幅に増大するうえに既存の建築物に後付け不可能な場合もあり、この他の例は実用的でなかった。また、上記複数のスラット２２ａ、２２ｂの形状が当該公開特許公報の図７に開示したように略Ｌ字状に構成され、室外から該複数のスラット２２ａ、２２ｂに強風を伴う場合、これの風切音が高く居住性が悪いという問題点があった。
【課題を解決するための手段】
【０００８】
本発明に係る網戸付き折れ雨戸は、既存又は新設の建物に於いて雨戸を窓又は窓ガラス若しくはサッシの外側に容易に嵌め込んで装着可能にすると共に該雨戸の裏側に網戸を備えてなり、この雨戸全体を折畳みかつ拡張できるように伸縮自在に構成し、この各雨戸を断面形状が略Ｓ字状又は波形若しくはＭ字状の多数段に列設した可動ガラリで一体構成してなる網戸付き折れ雨戸であって、当該折れ雨戸内に装着した可動ガラリを外部から採光若しくは送風可能な状態に変位させた際、該可動ガラリが建物の外部に飛出すことなくまた、外部から強風が該折れ雨戸に吹付けた際にも該可動ガラリの特異な構造により風切音の低減化を図ることを目的としたものであって、次の構成、手段から成立する。
【０００９】
請求項１記載の発明によれば、雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、該上框と中間框の間及び該中間框と下框の間に断面形状がＳ字形状、Ｍ字形状又は波形形状であって開閉自在の可動ガラリを該雨戸の水平方向（横）に多段式に列設した構成としたことを特徴とする。
【００１０】
請求項２記載の発明によれば、雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、かつ上記上框及び下框が既存又は新設の窓部材の上方枠及び下方枠に着脱自在に固定する雨戸の上部枠体及び下部枠体に連結し、該上框と中間框の間及び該中間框と下框の間に断面形状がＳ字形状、Ｍ字形状又は波形形状であって開閉自在の可動ガラリを該雨戸の水平方向（横）に多段式に列設した構成としたことを特徴とする。
【００１１】
請求項３記載の発明によれば、雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、該上框と中間框の間及び該中間框と下框の間に断面形状がＳ字形状、Ｍ字形状又は波形形状であって開閉自在の可動ガラリを該雨戸の水平方向（横）に多段式に列設し、上記網戸の周囲に上記雨戸の上部枠体及び下部枠体と一体形成され、かつ、該雨戸と窓部材との隙間であって該網戸固定枠に備えた隙間塞部材と有した構成としたことを特徴とする。
【００１２】
請求項４記載の発明によれば、雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、かつ上記上框及び下框が既存又は新設の窓部材の上方枠及び下方枠に着脱自在に固定する雨戸の上部枠体及び下部枠体に連結し、該上框と中間框の間及び該中間框と下框の間に断面形状がＳ字形状、Ｍ字形状又は波形形状であって開閉自在の可動ガラリを該雨戸の水平方向（横）に多段式に列設し、上記網戸の周囲に上記雨戸の上部枠体及び下部枠体と一体形成され、かつ、該雨戸と窓部材との隙間であって該網戸固定枠に備えた隙間塞部材と有した構成としたことを特徴とする。
【発明の効果】
【００１３】
本発明に係る網戸付き折れ雨戸は、上述の構成を有するので次の効果がある。
【００１４】
請求項１記載の発明によれば、雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、該上框と中間框の間及び該中間框と下框の間に断面形状がＳ字形状、Ｍ字形状又は波形形状であって開閉自在の可動ガラリを該雨戸の水平方向（横）に多段式に列設したことを特徴とする網戸付き折れ雨戸を提供する。
このような構成としたので、既存の建物開口部であるサッシ又は窓に着脱自在に設置可能であると共に、当該折れ雨戸内に装着した可動ガラリを外部から採光若しくは送風可能な状態に変位させた際、該可動ガラリが建物の外部に飛出すことなくまた、外部から強風が該折れ雨戸に吹付けた際にも該可動ガラリの特異な構造により風切音の低減化を図る効果がある。
【００１５】
請求項２記載の発明によれば、雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、かつ上記上框及び下框が既存又は新設の窓部材の上方枠及び下方枠に着脱自在に固定する雨戸の上部枠体及び下部枠体に連結し、該上框と中間框の間及び該中間框と下框の間に断面形状がＳ字形状、Ｍ字形状又は波形形状であって開閉自在の可動ガラリを該雨戸の水平方向（横）に多段式に列設したことを特徴とする網戸付き折れ雨戸を提供する。
このような構成としたので、請求項１記載の効果に加えて、既存の建物又は新設の建物を問わず網戸付き雨戸の一体物として、建物の開口部であるサッシ又は窓に着脱自在に設置可能となるので合理的な組立を行うと共に市場性が高く、量産に優れた網戸付き折れ雨戸を提供する効果がある。
【００１６】
請求項３記載の発明によれば、雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、該上框と中間框の間及び該中間框と下框の間に断面形状がＳ字形状、Ｍ字形状又は波形形状であって開閉自在の可動ガラリを該雨戸の水平方向（横）に多段式に列設し、上記網戸の周囲に上記雨戸の上部枠体及び下部枠体と一体形成され、かつ、該雨戸と窓部材との隙間であって該網戸固定枠に備えた隙間塞部材と有したことを特徴とする網戸付き折れ雨戸を提供する。
このような構成としたので、請求項１記載の効果に加えて雨戸と窓部材とで生ずる隙間を閉塞し、この隙間への塵埃や異物の侵入を防止すると共に外部からの見映えを良くする効果がある。
【００１７】
請求項４記載の発明によれば、雨戸と、該雨戸の背後に備えた網戸とでなる網戸付き折れ雨戸において、該雨戸が所望数の各雨戸の組で構成すると共に該各雨戸を折畳みかつ拡張自在に構成し、上記各雨戸に上框、下框及び中間框を有し、かつ上記上框及び下框が既存又は新設の窓部材の上方枠及び下方枠に着脱自在に固定する雨戸の上部枠体及び下部枠体に連結し、該上框と中間框の間及び該中間框と下框の間に断面形状がＳ字形状、Ｍ字形状又は波形形状であって開閉自在の可動ガラリを該雨戸の水平方向（横）に多段式に列設し、上記網戸の周囲に上記雨戸の上部枠体及び下部枠体と一体形成され、かつ、該雨戸と窓部材との隙間であって該網戸固定枠に備えた隙間塞部材と有したことを特徴とする網戸付き折れ雨戸を提供する。
このような構成としたので、請求項２記載の効果に加えて雨戸と窓部材とで生ずる隙間を閉塞し、この隙間への塵埃や異物の侵入を防止すると共に外部からの見映えを良くする効果がある。
【発明を実施するための最良の形態】
【００１８】
以下、本発明に係る網戸付き折れ雨戸の実施の形態について添付図面に基づき詳細に説明する。
【００１９】
図１は、本発明に係る網戸付き折れ雨戸の実施の形態を示す断面概要図であって、その高さ方向を一部省略して切断した図面である。
図２は、本発明に係る網戸付き折れ雨戸の実施の形態に於いて、室外側からみた該折れ雨戸を拡張した際の正面図である。
図３は、本発明に係る網戸付き折れ雨戸の実施の形態に於いて、窓部材に取付けた場合の室内側からみた正面図である。
図４は、図１の矢視Ｄ−Ｄ線方向からみた当該網戸付き折れ雨戸Ｅの上面概要図である。
【００２０】
２４は建物Ｂに於ける室外側の面に配置した雨戸であって、図２に示すように各雨戸２４Ａ、２４Ｂ、２４Ｃ、２４Ｄを備えている。２５は該雨戸２４の背後に備えた網戸であって、図３に示すように上記各雨戸２４Ａないし２４Ｄの枠幅分の各網戸２５Ａ、２５Ｂ、すなわち２個分を配備している。
図１に於いて２６Ａ及び２６Ｂは建物Ｂの開口部Ｃに備えた上部枠体及び下部枠体である。上記上部枠体２６Ａは、雨戸枠としてのレール枠２６Ａ１と、該レール枠２６Ａ１に一体形成された上部網戸枠２６Ａ２を備えている。
また、下部枠体２６Ｂは、支持ガイド枠２６Ｂ１と、下部網戸枠２６Ｂ２を備えている。
【００２１】
上記雨戸２４は、上方には上記レール枠２６Ａ１内に滑動自在に載置された吊戸車２７に連結部材２８を介して連結する上框２９ａを設け、及び下方には、上記支持ガイド枠２６Ｂ１に滑動自在に係止する下框２９ｂを設けている。そして、該下框２９ｂは係合突子２９ｂ１を備え、この係合突子２９ｂ１を支持ガイド枠２６Ｂ１に係合している。また、該雨戸２４の上下の略中間位置には中間框２９ｃを備えており、この中間框２９ｃは、上、下に断面形状が略Ｈ型であって薄板状鋼板で成形された第１枠体２９ｃ１及び第２枠体２９ｃ２と、その第１及び第２枠体２９ｃ１及び２９ｃ２間を連係してその前端と後端を結ぶ斜面枠体としての第３枠体２９ｃ３とを一体成形している。
【００２２】
３０は可動ガラリであって、図１に示すように上框２９ａと上記中間框２９ｃとの間に、及び上記中間框２９ｃと、上記下框２９ｂとの間に、図２に示すように横方向に所定の長さを有し、かつ上下に連続して多数個を開放閉止自在に列設している。該可動ガラリ３０は、図１に示すように断面形状が概ねＳ字状若しくはＭ字状又はいわゆる波形形状の羽根体で構成しており、後述する開閉レバーローレット機構を回動操作することにより、該可動ガラリ３０の開閉動作を行なう。そして、上記可動ガラリ３０が開放した際、つまり、水平方向に回動したとき、（図１の破線で示す）該可動ガラリ３０の先端部３０ａが当該雨戸２４の前面から室外側へ飛出すことがないように設定されている。そして、図４に示すように当該雨戸２４のうち各雨戸２４Ａ、２４Ｂ及び２４Ｃ、２４Ｄを一点鎖線Ｌ１、Ｌ２の位置からＬ３、Ｌ４の位置を経て実線で示すように右側及び左側に折畳んだとき、建物Ｂの開口部Ｃに配置した窓部材３１、すなわち室外側面の窓部材３１ａ及び室内側面の窓部材３１ｂであって、この窓部材３１ａ、３１ｂを図示するように重なるように可動した際、このとき、左右の空間部位Ｆ、Ｇに各網戸２５Ａ及び２５Ｂを左側及び右側に可動し、位置決定をすることにより当該左右の空間部位Ｆ及びＧは外部から上記網戸２５Ａ、２５Ｂにより閉塞され外気は流過するが、蚊や蝿等の虫類は該網戸２５Ａ、２５Ｂの網目により侵入を阻止する。
【００２３】
図１に於いて２５１は、各網戸２５Ａ及び２５Ｂの上下の中間位置に設置した中間框であり、各網戸２５Ａ及び２５Ｂの強度を確保する機能を備えている。該網戸２５は、例えば、上記各雨戸２４Ａないし２４Ｄの２枠分又は２個分、すなわち図３に示すように雨戸２４Ａ及び２４Ｄの背後に配備された網戸２５Ａ及び２５Ｂを有してなる。３１は、既存又は新設の窓部材であり、例えば、図４に示すように２枚で一組３１ａ、３１ｂを構成し、これを左又は右に可動することにより上記建物Ｂの開口を閉止するように構成している。そして、窓、サッシ又は窓ガラス等で構成され、建物Ｂの室内側の面に配置されてあってかつ、上記網戸２５の背部に配置されている。
【００２４】
尚、図１に於いて３２は止め具であり、上記雨戸２４と、窓部材３１を係止する金具等でなる。３３ａ及び３３ｂは上記窓部材３１の上方枠及び下方枠であって、建物Ｂに固定されており該窓部材３１を上方及び下方から嵌合し、かつ、それぞれ上記雨戸２４の上部枠体２６Ａ及び下部枠体２６Ｂに例えば、ワンタッチ段等による着脱自在又は溶接により連結可能に固定できるものとする。
而して、本発明によれば図４に示すように雨戸２４（２４Ａないし２４Ｄ）に網戸２５（２５Ａ、２５Ｂ）を付設した構造体、すなわち網戸付き雨戸Ｅとして意義を有し、従来に存在した雨戸２４の商品価値を高める機能を有する。そして、例えば、雨戸製造工場等に於いて、上記雨戸２４、上記網戸２５、上記上部枠体２６Ａ及び上記下部枠体２６Ｂのそれぞれを一体構成物として組付け完成し、建物Ｂの現場に搬送して窓部材３１の上方枠及び下方枠３３ａ、３３ｂにこれを係合して取付け完了する。従って、既存の建物Ｂに取付け可能とするばかりか取替えにも応じる技術を提供する。
尚、上記上方枠３３ａ及び下方枠３３ｂは上記上部枠体２６Ａ及び下部枠体２６Ｂに一体形成してもよい。また、該上方枠３３ａ及び下方枠３３ｂは例えば、異形状突片３３ｃを一体成形し、これを窓部材３１の上縁部又は下縁部に埋込み構成してもよい。
【実施例】
【００２５】
次に、図１ないし図４及び図５ないし図７に基づき、本発明に係る網戸付き折れ雨戸に於ける実施例について更に、詳しく説明する。
【００２６】
図５は、本発明に係る網戸付き折れ雨戸の一例を示す断面概要図の一部であって、図１のＨ部を拡大した図面である。
図６は、本発明に係る網戸付き折れ雨戸の一例を示すもので、その雨戸の上面からみた平面図であって、折り畳み可能な状態を示す図である。
図７は、本発明に係る網戸付き折れ雨戸の一例であり、開閉レバーローレット機構の操作により上記可動ガラリの開放閉止を動作する状態を示す図であって、（ａ）は可動ガラリり平面形状を示す平面図、（ｂ）は可動ガラリが図１の実線で示す状態、すなわち閉止状態を示す概要側面図、（ｃ）は可動ガラリが図１の破線で示す状態、すなわち開放状態を示す概要側面図である。
【００２７】
図５に示すように、上記吊戸車２７は、上記レール枠２６Ａ１内であって、該雨戸２４を折り畳む際、雨戸２４の水平（横）方向の左右に滑動自在に動作しかつ、該レール枠２６Ａ１内に載置されている。上記吊戸車２７は、回転軸２７ａと、該回転軸２７ａの左右又は前後端部２７ｂ、２７ｃに回転自在に枢着された２つの車輪２７ｄ、２７ｄとを有している。そして、２つの該車輪２７ｄ、２７ｄは上記レール枠２６Ａ１の底部に形成した２つの略Ｕ字状又はコ字状のレール部２６ａ、２６ａの内面に載置され、上記雨戸２４の各雨戸、例えば図４に示すように雨戸２４Ａ、２４Ｂを左側に、雨戸２４Ｃ、２４Ｄを右側に折り畳むとき、上記吊戸車２７の車輪２７ｄ、２７ｄを上記レール部２６ａ、２６ａの内面上を走行する。そして、上記吊戸車２７と上框２９ａを連結する連結部材２８は、実施例としては、軸棒２８ａ及び上、下固定板２９ｄ、２９ｅを介して、上記上框２９ａに連結している。更に、上記軸棒２８ａの上端２８ｂはコイルスプリング又はバネ片等でなる弾性部品２８ｃを介して連結部材２８に形成した軸受部２８ｄに係合している。該軸受部２８ｄは凹陥を形成してなり、上記軸棒２８に対して回動自在に可動するように及びガイド機能も併有する。
【００２８】
また、上記上、下の固定板２９ｄ及び２９ｅはその周囲部又は左右縁部若しくは前後縁部２９ｄ１、２９ｄ２及び２９ｅ１、２９ｅ２をそれぞれ上記上框２９ａの内壁に固定しており、その略中央部には、軸孔２９ｄ３及び２９ｅ３を形成し上記軸棒２８ａを挿入して固定している。
【００２９】
上記雨戸２４に於いて各雨戸２４Ａと各雨戸２４Ｂの間は図６に示すように折畳みかつ拡張可能にすべくした各種の形状、構造を有する連結金具３４で結合されている。この連結金具３４は各雨戸２４Ｃと各雨戸２４Ｄの間にも配置している。そして、該連結金具３４は、該雨戸２４の上端から下端まで一連に設けているが、その構造、形状等によっては上、下端に各々１個を備えることにしてもよい。該連結金具３４は例えば、金属材料又は各種の樹脂で形成したヒンジ等で構成され、図２及び図６に示すように室外側からみて一方の雨戸２４Ａの右端枠２４Ａ１と他方の雨戸２４Ｂの左端枠２４Ｂ１に連結するそれぞれ回動自在軸部３４ａ、３４ａと、この回動自在軸部３４ａ、３４ａに軸着する本体部３４ｂとを構成してなる。
該連結金具３４の本体部３４ｂは内部が空洞を形成して軽量化を図っている。
また、上記連結金具３４は、図６には図示しないが一方の雨戸２４Ｃの右端枠２４Ｃ１と他方の雨戸２４Ｄの左端枠２４Ｄ１にも前記と同様に配置している。
【００３０】
上記雨戸２４のうちその中央部、例えば、各雨戸２４Ｂと各雨戸２４Ｃ間にはその上端から下端まで、若しくは適宜の部位に複数個の着脱自在の吸着部材３５を介装している。該吸着部材３５は、例えば、磁石体（マグネット）や係止部品で構成され、図２及び図６に示すように、上記各雨戸２４Ｂの右端枠２４Ｂ２及び／又は上記雨戸２４Ｃの左端枠２４Ｃ２に備えている。
尚、上記吸着部材３５は上記雨戸２４を拡張した際に、当該各雨戸２４Ｂと各雨戸２４Ｃが閉止できる構成であれば必ずしも設ける必要はない。
【００３１】
上記各網戸２５Ａ及び２５Ｂは上記雨戸２４の背後に配置されてあって、通例では建物Ｂの窓部の開放を図るために該各雨戸２４Ａないし２４Ｄのうち２個分、すなわち２枠分を備えている。そして、該各網戸２５Ａ及び２５Ｂはそれぞれ概ね上記各雨戸２４Ａないし２４Ｄの１個分の幅長を有している。図６に示すように室外側からみて該各網戸２５Ａの左端側には上部網戸固定枠２６Ａ２に連結した網戸固定枠２５Ａ１及び該各網戸２５Ａの右端側には網戸固定枠２５Ａ２をそれぞれ設けている。
そして、各網戸２５Ｂも上記網戸２５Ａと同様にその左端側及び右端側にそれぞれ網戸固定枠２５Ｂ１及び２５Ｂ２を設けてあり、上記網戸固定枠２５Ａ２と上記網戸固定枠２５Ｂ１は接離自在構成し、該網戸２５Ａと該網戸２５Ｂをそれぞれ可動し、建物Ｂの窓部の右側又は左側に分離させることや図６に示すように並置する構成となっている。
尚、上記網戸固定枠２５Ａ１及び２５Ａ２と上記網戸固定枠２５Ｂ１及び２５Ｂ２は、それぞれ互いに各網戸２５Ａや各網戸２５Ｂの周縁を囲み、管状に構成してもよい。
【００３２】
また、上記各網戸２５Ａと各網戸２５Ｂの背後方向、つまり室内側にはサッシや窓等の窓部材３１を配置しており、該各網戸２５Ａと各網戸２５Ｂの垂直背面と窓部材３１の垂直面間には隙間Ｋが存在する。この隙間Ｋを図１及び図６に示すように建物Ｂの側面から塞ぐべく、上記各網戸２５Ａ及び各網戸２５Ｂに備えた上記網戸固定枠２５Ａ１、２５Ａ２及び上記網戸固定枠２５Ｂ１、２５Ｂ２の背部にそれぞれ４ヶ所に該網戸固定枠２５Ａ１ないし２５Ｂ２と同材質の隙間塞部材３６を設けている。この隙間塞部材３６は、形成された隙間Ｋ内への塵埃や異物等の侵入を防止する役割を有する。
【００３３】
尚、図６に於いて、３７は雨戸ロック機構であって、上記雨戸２４Ａないし２４Ｄのいずれか又はそれぞれに装着しており、汎用のロック・アンロック機構で構成され室内側にロックピン３７ａを突出させ、このロックピン３７ａを押圧し又は引戻し等（プッシュ、プル）を行なうことにより該雨戸２４を閉止し又は開放することを許容する。
【００３４】
次に、本発明に係る網戸付き折れ雨戸に於ける実施例に基づいてその動作等を説明する。
【００３５】
先づ、図４に示すように、雨戸２４のうち各雨戸２４Ａ及び各雨戸２４Ｂを一方側に、各雨戸２４Ｃ及び各雨戸２４Ｄを他方側に折畳むときは、上記雨戸ロック機構３７のロックピン３７ａをプッシュ等を行いロック解除する。そして、上記雨戸２４Ａ及び雨戸２４Ｂや上記雨戸２４Ｃ及び雨戸２４Ｄを室外側に押出し操作すれば、図６に示すように連結金具３４が破線で示す位置に移動する。各雨戸２４Ｃ及び各雨戸２４Ｄについても図示しないが同様の動作を行なう。
【００３６】
すなわち、上記各雨戸２４Ａ及び各雨戸２４Ｂは図４に示すように水平位置Ｌ１から傾き角度を変化させながら室外側へ突出する方向位置Ｌ３に移動する。この際、上記各雨戸２４Ａ及び各雨戸２４Ｂの雨戸枠、すなわちレール枠２６Ａ１を各雨戸２４Ａ及び各雨戸２４Ｂの傾きに応じて傾斜させ、図５に示すようにレール枠２６Ａ１のレール部２６ａ、２６ａも同様に室外側へ傾かせながら吊戸車２７を該レール部２６ａ、２６ａの内面上に走行させる。
【００３７】
また、軸棒２８ａの上端２８ｂは弾性部品２８ｃを介して連結部材２８に形成した軸受部２８ｄに係合しており、この弾性部品２８ｃの弾性回転力により該軸棒２８ａの上端２８ｂの廻りに連結部材２８を図５に示す矢印Ｊ方向又はＩ方向に回動させる。
而して、図４に示すように上記各雨戸２４Ａ及び各雨戸２４Ｂは一方側（左端）に折畳むことができる。
同様な動作により上記各雨戸２４Ｃ及び各雨戸２４Ｄは水平位置Ｌ２から室外側へ突出する方向位置Ｌ４を経て他方側（右端）に折畳むことができる。そして、重ねて配置した窓部材３１ａ及び３１ｂの左、右の空間部位Ｆ、Ｇに上記網戸２５Ａ及び上記網戸２５Ｂを可動して位置設定すれば、当該空間部位Ｆ、Ｇは網戸２５Ａ、２５Ｂにより閉塞され外気は流過するが、蚊や蝿等の虫類は該網戸２５Ａ、２５Ｂにより侵入できない。
【００３８】
次に、図３及び図７（ａ）（ｂ）（ｃ）等について説明し、可動ガラリ３０の開閉動作等を明らかにする。
【００３９】
図３に於いて、３８は開閉レバーローレット機構であって、回転摘み３８ａと、該回転摘み３８ａの回動操作によって回転動作をするレバーアーム３８ｂと、該レバーアーム３８ｂに連結されたアーム係合片３８ｃとで構成される。そして、該開閉レバーローレット機構３８は図３に示すように上記各雨戸２４Ａないし２４Ｄの背部であって、中間框２９ｃで上下に区分された雨戸枠体２４ａの部位にそれぞれ配備している。すなわち、本実施例によれば８個を設置する。
該レバーアーム３８ｂはスプライン状係合部３８ｄを備え、このスプライン状係合部３８ｄでアーム係合片３８ｃを軸着した構成としたので上記回転摘み３８ａを回転させると、上記アーム係合片３８ｃが上下動する。アーム係合片３８ｃの先端は係止突子３８ｅを形成し、この係止突子３８ｅは、各雨戸２４Ａないし２４Ｄにそれぞれ備えた作動杆３９の係止孔３９ａに係合する。該作動杆３９はアーム係合片３８ｃの上下動により、一端を該作動杆３９に、その他端を可動ガラリ３０の作動軸３０ｂにそれぞれ軸着した多数個かつ水平（横方向）であって多段状に上記各雨戸２４Ａないし２４Ｄに配置したカム４０を所定角度例えば、９０（°）の範囲内に可動する。
該カム４０の動作により上記可動ガラリ３０を図７（ａ）に示す閉止位置から図７（ｃ）に示す開放位置まで回動する。
【００４０】
図中、２４ａは図２に示すように各雨戸２４Ａないし２４Ｄの両側にそれぞれ垂直方向に備えた雨戸枠体であり、図７（ａ）に示すような上記可動ガラリ３０の作動軸３０ｂを水平（横）方向に固定している。
また、３０ｃ及び３０ｄは軸受であって、上記各雨戸２４Ａないし２４Ｄの左右の各雨戸枠体２４ａに配備され、上記可動ガラリ３０の作動軸３０ｂを軸着固定している。
【００４１】
室外から外気を取込んでいない場合は可動ガラリ３０は、図７（ｂ）に示すように閉止状態となっている。そして、かかる状態に於いて、室外から外気を室内に流過させるときは、図３に示す開閉レバーローレット機構３８の所望するいずれか又は全部の回転摘み３８ａを例えば、矢印ａ方向（右回転）に回転させる。そこでその回転力が上記レバーアーム３８ｂ、アーム係合片３８ｃ及び作動杆３９に伝達され、上記カム４０を所望位置まで回動させ、これに連動して可動ガラリ３０が所望方向に傾斜させて該可動ガラリ３０を閉止状態から徐々に開放状態にする。該可動ガラリ３０を図７（ｃ）に示す位置、つまり閉止状態から９０（°）等で回転させると全開位置であって全開放状態となる。
このとき可動ガラリ３０の先端部３０ａが当該雨戸２４の前面から室外側へ飛出すことがないように構成されている。
【００４２】
また、上記回転摘み３８ａ外周面を図示するように連続した凹凸状面に仕上げる等して、回動量の微調整を可能としたので該可動ガラリ３０の開放度合を好みに応じて変化できる。
而して、上記可動ガラリ３０を閉止状態、つまり、図７（ｂ）に示す位置に復元する場合は、上記開閉レバーローレット機構３８の回転摘み３８ａを例えば、図３に示す矢印ｂ方向（左回転）に逆回転することにより前述と逆の動作により行うことができる。
【図面の簡単な説明】
【００４３】
【図１】本発明に係る網戸付き折れ雨戸の実施の形態を示す断面概要図であって、その高さ方向を一部省略して切断した図面である。
【図２】本発明に係る網戸付き折れ雨戸の実施の形態に於いて、室外側からみた該折れ雨戸を拡張した際の正面図である。
【図３】本発明に係る網戸付き折れ雨戸の実施の形態に於いて、窓部材に取付けた場合の室内側からみた正面図である。
【図４】図１の矢視Ｄ−Ｄ線方向からみた当該網戸付き折れ雨戸Ｅの上面概要図である。
【図５】本発明に係る網戸付き折れ雨戸の一例を示す断面概要図の一部であって、図１のＨ部を拡大した図面である。
【図６】本発明に係る網戸付き折れ雨戸の一例を示すもので、その雨戸の上面からみた平面図であって、折り畳み可能な状態を示す図である。
【図７】本発明に係る網戸付き折れ雨戸の一例であり、開閉レバーローレット機構の操作により上記可動ガラリの開放閉止を動作する状態を示す図であって、（ａ）は可動ガラリり平面形状を示す平面図、（ｂ）は可動ガラリが図１の実線で示す状態、すなわち閉止状態を示す概要側面図、（ｃ）は可動ガラリが図１の破線で示す状態、すなわち開放状態を示す概要側面図である。
【図８】従来の技術に於ける雨戸の構造の一例を示す要部断面図である。
【図９】従来の技術に於ける雨戸の構造の他の例を示す断面図である。
【符号の説明】
【００４４】
２４      雨戸
２４ａ    雨戸枠体
２４Ａ〜２４Ｄ  各雨戸
２４Ａ１  各雨戸２４Ａの右端枠
２４Ｂ１  各雨戸２４Ｂの左端枠
２４Ｂ２  各雨戸２４Ｂの右端枠
２４Ｃ１  各雨戸２４Ｃの右端枠
２４Ｃ２  各雨戸２４Ｃの左端枠
２４Ｄ１  各雨戸２４Ｄの左端枠
２５      網戸
２５Ａ、２５Ｂ  各網戸
２５Ａ１  網戸固定枠
２５Ａ２  網戸固定枠
２５Ｂ１  網戸固定枠
２５Ｂ２  網戸固定枠
２６Ａ    上部枠体
２６Ａ１  上部枠体のレール枠
２６Ａ２  上部網戸固定枠
２６ａ    レール部
２６Ｂ    下部枠体
２６Ｂ１  支持ガイド枠
２７      吊戸車
２７ａ    吊戸車の回転軸
２７ｂ    吊戸車の回転軸の左端
２７ｃ    吊戸車の回転軸の右端
２７ｄ    吊戸車の車輪
２８      連結部材
２８ａ    連結部材の軸棒
２８ｂ    連結部材の軸棒の上端
２８ｃ    連結部材の弾性部品
２８ｄ    連結部材の軸受部
２９ａ    上框
２９ｂ    下框
２９ｃ    中間框
２９ｃ１  中間框の第１枠体
２９ｃ２  中間框の第２枠体
２９ｃ３  中間框の第３枠体
２９ｄ    上固定板
２９ｄ１  上固定板の左縁部
２９ｄ２  上固定板の右縁部
２９ｄ３  上固定板の軸孔
２９ｅ    下固定板
２９ｅ１  下固定板の左縁部
２９ｅ２  下固定板の右縁部
２９ｅ３  下固定板の軸孔
３０      可動ガラリ
３０ａ    可動ガラリの先端部
３０ｂ    可動ガラリの作動軸
３０ｃ、３０ｄ  可動ガラリの軸受
３１      窓部材
３１ａ    室外側面の窓部材
３１ｂ    室内側面の窓部材
３２      止め具
３３ａ    窓部材の上方枠
３３ｂ    窓部材の下方枠
３３ｃ    上方枠、下方枠の異形突片
３４      連結金具
３４ａ    連結金具の回動自在軸部
３４ｂ    連結金具の本体部
３５      吸着部材
３６      隙間塞部材
３７      雨戸ロック機構
３７ａ    雨戸ロック機構のロックピン
３８      開閉レバーローレット機構
３８ａ    開閉レバーローレット機構の回転摘み
３８ｂ    開閉レバーローレット機構のレバーアーム
３８ｃ    開閉レバーローレット機構のアーム係合片
３８ｄ    レバーアームのスプライン状係合部
３８ｅ    アーム係合片の係止突子
３９      作動枠杆
【図１】
2005126962.tif 000003
【図２】
2005126962.tif 000004
【図３】
2005126962.tif 000005
【図４】
2005126962.tif 000006
【図５】
2005126962.tif 000007
【図６】
2005126962.tif 000008
【図７】
2005126962.tif 000009
【図８】
2005126962.tif 000010
【図９】
2005126962.tif 000011